(57)【要約】【課題】部品点数を増やすことなく、補助光用発光部を正確な位置に確実に保持固定することができるとともに、組立作業の容易化を図ることができる電子機器を提供する。【解決手段】電子機器は、保持部７００が、ＦＰＣ６０１が挿入されて収納される収納溝部７０９と、収納されたＦＰＣ６０１の背面を押圧して壁部７０７，７０８に押し付ける弾性腕７０３と、壁部７０７，７０８から突出形成される突出部７０４，７０５と、突出部７０４，７０５の先端からそれぞれＦＰＣ６０１の挿入方向と逆方向に延設され、弾性変形してレンズ部６０２を保持可能にする保持腕部７０１，７０２と、弾性保持されたレンズ部６０２に当接してレンズ部６０２の移動を規制する規制部７０６とを有する。収納溝部７０９に挿入されるＦＰＣ６０１は、レンズ部６０２が規制部７０６に当接する前に、ＦＰＣ６０１の端部が突出部７０４，７０５の位置を挿入方向に通過する大きさに設定される。【選択図】図１３
2015034873.tif 000002
【特許請求の範囲】
【請求項１】
フレキシブル基板に実装され、集光用のレンズ部を有する発光部と、
前記発光部を前記フレキシブル基板とともに保持する保持部と、を備え、
前記保持部は、
前記フレキシブル基板が挿入されて収納される収納溝部と、
前記収納溝部に収納された前記フレキシブル基板の背面を押圧して前記フレキシブル基板を前記収納溝部の壁部に押し付ける弾性腕と、
前記収納溝部の前記壁部から前記収納溝部の反対側に突出形成される一対の突出部と、
前記一対の突出部の先端からそれぞれ前記フレキシブル基板の挿入方向と逆方向に延設され、弾性変形して前記レンズ部を保持可能な一対の保持腕部と、
前記一対の保持腕部に保持された前記レンズ部に当接して前記レンズ部の移動を規制する規制部と、を有し、
前記収納溝部に挿入される前記フレキシブル基板は、前記レンズ部が前記規制部に当接する前に、前記挿入方向における前記フレキシブル基板の端部が前記一対の突出部の位置を挿入方向に通過する大きさに設定されることを特徴とする電子機器。
【請求項２】
前記保持腕部は、前記レンズ部の中心より前記保持腕部の先端側で前記レンズ部に係合して前記レンズ部を保持する挟持部を有することを特徴とする請求項１に記載の電子機器。
【請求項３】
前記一対の保持腕部に保持された前記レンズ部の中心から前記収納溝部に収納された前記フレキシブル基板の挿入方向の端部までの長さは、前記一対の保持腕部の前記レンズ部の挿入方向の長さより長いことを特徴とする請求項１又は２に記載の電子機器。
【請求項４】
前記一対の突出部は、前記レンズ部の挿入方向に弾性変形可能であることを特徴とする請求項１乃至３のいずれか一項に記載の電子機器。
【発明の詳細な説明】
【技術分野】
【０００１】
本発明は、例えばデジタルカメラ等の電子機器に関する。
【背景技術】
【０００２】
デジタルカメラ等の電子機器では、レリーズボタンを半押しして焦点調整を行う際、被写体輝度が低いと、機器本体の正面側に設けられた補助光用ＬＥＤ素子が点灯して被写体を照射する。これにより、被写体輝度が低い場合でも、焦点調整が可能となる。ところで、補助光用ＬＥＤ素子は、指向性が高いため、正確な位置に確実に保持固定しないと、被写体に照明光が当たらなくなり、焦点調整が正しく行うことが困難となる。
【０００３】
そこで、補助光用ＬＥＤ素子が実装されるフレキシブル基板の裏面にゴムシートを張り付け、ゴムシートを圧縮させた状態で補助光用ＬＥＤ素子をフレキシブル基板とともに保持溝に保持固定する技術が提案されている（特許文献１）。
【先行技術文献】
【特許文献】
【０００４】
【特許文献１】特開２０１２−１４５８６１号公報
【発明の概要】
【発明が解決しようとする課題】
【０００５】
しかし、上記特許文献１では、フレキシブル基板の裏面に貼り付けるゴムシートが必要になるため、部品点数が増え、コスト高になる。また、フレキシブル基板及びゴムシートの面積は非常に小さいため、フレキシブル基板にゴムシートが貼ってあるかどうかの確認作業やフレキシブル基板にゴムシートを貼る作業等に手間がかかり、組立作業が面倒である。
【０００６】
そこで、本発明は、部品点数を増やすことなく、発光部を正確な位置に確実に保持固定することができるとともに、組立作業の容易化を図ることができる電子機器を提供することを目的とする。
【課題を解決するための手段】
【０００７】
上記目的を達成するために、本発明の電子機器は、フレキシブル基板に実装され、集光用のレンズ部を有する発光部と、前記発光部を前記フレキシブル基板とともに保持する保持部と、を備え、前記保持部は、前記フレキシブル基板が挿入されて収納される収納溝部と、前記収納溝部に収納された前記フレキシブル基板の背面を押圧して前記フレキシブル基板を前記収納溝部の壁部に押し付ける弾性腕と、前記収納溝部の前記壁部から前記収納溝部の反対側に突出形成される一対の突出部と、前記一対の突出部の先端からそれぞれ前記フレキシブル基板の挿入方向と逆方向に延設され、弾性変形して前記レンズ部を保持可能な一対の保持腕部と、前記一対の保持腕部に保持された前記レンズ部に当接して前記レンズ部の移動を規制する規制部と、を有し、前記収納溝部に挿入される前記フレキシブル基板は、前記レンズ部が前記規制部に当接する前に、前記挿入方向における前記フレキシブル基板の端部が前記一対の突出部の位置を挿入方向に通過する大きさに設定されることを特徴とする。
【発明の効果】
【０００８】
本発明によれば、部品点数を増やすことなく、発光部を正確な位置に確実に保持固定することができるとともに、組立作業の容易化を図ることができる。
【図面の簡単な説明】
【０００９】
【図１】（ａ）は本発明の電子機器の実施形態の一例であるデジタルカメラを正面側（被写体側）から見た斜視図、（ｂ）は（ａ）に示すデジタルカメラを背面側から見た斜視図である。
【図２】図１に示すデジタルカメラから正面カバー及び背面カバーを分離した状態を示す斜視図である。
【図３】（ａ）はレンズ鏡筒の斜視図、（ｂ）は（ａ）のＧ部拡大図である。
【図４】フレキシブル基板に実装された補助光用ＬＥＤ素子の斜視図である。
【図５】保持部の斜視図である。
【図６】保持部の上面図である。
【図７】保持部の正面図である。
【図８】（ａ）は図７のＸ−Ｘ線断面図、（ｂ）は図７のＹ−Ｙ線断面図である。
【図９】保持部に補助光用ＬＥＤ素子を組み込む前の状態を示す斜視図である。
【図１０】保持部に補助光用ＬＥＤ素子を組み込む途中の状態を示す斜視図である。
【図１１】保持部に補助光用ＬＥＤ素子を組み込んだ後の状態を示す斜視図である。
【図１２】図１１のＺ−Ｚ線断面図である。
【図１３】図１１のＷ−Ｗ線断面図である。
【発明を実施するための形態】
【００１０】
以下、本発明の実施形態の一例を図面を参照して説明する。
【００１１】
図１（ａ）は本発明の電子機器の実施形態の一例であるデジタルカメラを正面側（被写体側）から見た斜視図、図１（ｂ）は図１（ａ）に示すデジタルカメラを背面側から見た斜視図である。
【００１２】
本実施形態のデジタルカメラは、図１（ａ）に示すように、カメラ本体１００の正面側にズーム式のレンズ鏡筒５００が設けられ、レンズ鏡筒５００の周囲には、マイク穴１１０，１１１やＡＦ補助光窓１０５等が設けられる。ＡＦ補助光窓１０５は、後述する補助光用ＬＥＤ素子６００（図３参照）を覆って保護する。カメラ本体１００の上面部には、レリーズボタン１０１、ズームレバー１０２、電源ボタン１０３、モードダイヤル１０４、及びストロボユニット１０６等が設けられる。ストロボユニット１０６は、図の矢印Ａ方向に回動可能とされている。
【００１３】
また、図１（ｂ）に示すように、カメラ本体１００の背面側には、ＬＣＤ等の表示ユニット２０１、各種操作ボタン群２０２等が設けられ、カメラ本体１００を背面側から見て右側の側部には、端子カバー２０４が設けられる。端子カバー２０４は、アナログビデオ端子、外部電源端子、デジタル端子等を開閉可能に覆って保護する。
【００１４】
図２は、図１に示すデジタルカメラから正面カバー１００ａ及び背面カバー１００ｂを分離した状態を示す斜視図である。図３（ａ）はレンズ鏡筒５００の斜視図、図３（ｂ）は図３（ａ）のＧ部拡大図である。図４は、フレキシブル基板６０１に実装された補助光用ＬＥＤ素子６００の斜視図である。
【００１５】
図２及び図３に示すように、レンズ鏡筒５００には、補助光用ＬＥＤ素子６００を保持固定する保持部７００が設けられる。補助光用ＬＥＤ素子６００は、図３（ｂ）及び図４に示すように、不図示の内蔵チップから照射される光を所定の角度に集光させるための集光用のレンズ部６０２、及び半田用リード６０３を有する。半田用リード６０３をフレキシブル基板６０１に半田付けすることで、補助光用ＬＥＤ素子６００がフレキシブル基板６０１に実装される。ここで、補助光用ＬＥＤ素子６００は、本発明の発光部の一例に相当する。
【００１６】
図５は保持部７００の斜視図、図６は保持部７００の上面図、図７は保持部７００の正面図である。図８（ａ）は図７のＸ−Ｘ線断面図、図８（ｂ）は図７のＹ−Ｙ線断面図である。
【００１７】
図５乃至図８に示すように、保持部７００は、収納溝部７０９、弾性腕７０３、一対の突出部７０４，７０５、一対の保持腕部７０１，７０２、及び規制部７０６を有する。
【００１８】
収納溝部７０９には、フレキシブル基板６０１が挿入されて収納される。弾性腕７０３は、収納溝部７０９に収納されたフレキシブル基板６０１の背面を押圧してフレキシブル基板６０１を収納溝部７０９の正面側の壁部７０７，７０８に押し付ける。
【００１９】
一対の突出部７０４，７０５は、それぞれ壁部７０７，７０８から収納溝部７０９の反対側（正面側）に突出形成されて図の上下方向に弾性変形可能とされている。突出部７０４，７０５の先端には、フレキシブル基板６０１の挿入方向と逆方向に保持腕部７０１，７０２が延設される。保持腕部７０１，７０２と壁部７０７，７０８との間には、突出部７０４，７０５を底部とする収納溝部７０９より浅い溝部７１０が形成される。
【００２０】
一対の保持腕部７０１，７０２は、合成樹脂製とされ、補助光用ＬＥＤ素子６００のレンズ部６０２を保持可能である。一対の保持腕部７０１，７０２の先端から補助光用ＬＥＤ素子６００を挿入すると、一対の保持腕部７０１，７０２の間に補助光用ＬＥＤ素子６００レンズ部６０２が配置される。このとき、一対の保持腕部７０１，７０２は、レンズ部６０２の中心より一対の保持腕部７０１，７０２の先端側（上側）で挟持部７１１，７１２がレンズ部６０２に係合してレンズ部６０２を挟持する。規制部７０６は、レンズ部６０２に対して挿入方向に当接してレンズ部６０２の挿入方向の移動を規制する。
【００２１】
ここで、収納溝部７０９に収納されるフレキシブル基板６０１の挿入方向の端部は、補助光用ＬＥＤ素子６００のレンズ部６０２が規制部７０６に当接する前に、溝部７１０の底部の位置、即ち突出部７０４，７０５の位置を挿入方向に通過する。この点については、後述する。
【００２２】
図９は、保持部７００に補助光用ＬＥＤ素子６００を組み込む前の状態を示す斜視図である。図１０は、保持部７００に補助光用ＬＥＤ素子６００を組み込む途中の状態を示す斜視図である。図１１は、保持部７００に補助光用ＬＥＤ素子６００を組み込んだ後の状態を示す斜視図である。図１２は、図１１のＺ−Ｚ線断面図である。
【００２３】
まず、図９及び図１０に示すように、補助光用ＬＥＤ素子６００が実装されたフレキシブル基板６０１を矢印Ｄ方向に収納溝部７０９に挿入し、レンズ部６０２を保持腕部７０１，７０２の先端に当接させる（図１０参照））。
【００２４】
この状態でさらに補助光用ＬＥＤ素子６００のレンズ部６０２を矢印Ｄ方向へ挿入すると、保持腕部７０１，７０２は互いに開く方向に弾性変形する。このとき、突出部７０４，７０５も弾性変形するため、保持腕部７０１，７０２の長さが短くても、弾性変形しやすくなる。その後、さらにレンズ部６０２を矢印Ｄ方向へ挿入して規制部７０６に当接させることで、図１１に示すように、補助光用ＬＥＤ素子６００が保持腕部７０１，７０２に保持固定される。
【００２５】
図１１の状態では、保持腕部７０１，７０２の挟持部７１１，７１２がレンズ部６０２に係合し、これにより、補助光用ＬＥＤ素子６００の矢印Ｄ方向（挿入方向）と逆方向の移動が規制されて抜け止めされるとともに、左右方向の移動も規制される。
【００２６】
また、光軸方向においては、図１２に示すように、弾性腕７０３がフレキシブル基板６０１の背面を押圧してフレキシブル基板６０１を収納溝部７０９の正面側の壁部７０７，７０８に押し付ける。これにより、保持部７００に対して補助光用ＬＥＤ素子６００を正確な位置に確実に保持固定することができる。
【００２７】
図１３は、図１１のＷ−Ｗ線断面図である。ところで、補助光用ＬＥＤ素子６００や保持部７００の実際の大きさは、約５ｍｍ程度であり、また、フレキシブル基板６０１は、容易に変形しやすい。このため、組立時にフレキシブル基板６０１の全部又は一部が収納溝部７０９ではなく誤って溝部７１０に挿入される場合がある。この場合、補助光用ＬＥＤ素子６００が正規位置に保持固定されないため、被写体に正しく補助光用ＬＥＤ素子６００からの照明光が当らない可能性がある。
【００２８】
そこで、本実施形態では、上述したように、レンズ部６０２が規制部７０６に当接する前に、フレキシブル基板６０１の挿入方向の端部が溝部７１０の底部の位置を挿入方向に通過するように、フレキシブル基板６０１の長さを設定している。これにより、フレキシブル基板６０１を誤って溝部７１０に挿入しても、レンズ部６０２が規制部７０６に当接する前に、フレキシブル基板６０１の挿入方向の端部が溝部７１０の底部、即ち、突出部７０４，７０５に当接する。したがって、この状態ではレンズ部６０２を挿入することができなくなる。
【００２９】
特に、本実施形態では、レンズ部６０２の中心からフレキシブル基板６０１の挿入方向の端部までの長さＦを保持腕部７０１，７０２のレンズ部６０２の挿入方向の長さＥより長くしている。これにより、フレキシブル基板６０１を誤って溝部７１０に挿入しても、レンズ部６０２が保持腕部７０１，７０２に接触して弾性変形させる前に、フレキシブル基板６０１の挿入方向の端部が溝部７１０の底部に当接する。このため、補助光用ＬＥＤ素子６００のレンズ部６０２をそれ以上挿入できなくなり、誤って組立てられているのを確実に把握することができる。
【００３０】
以上説明したように、本実施形態では、部品点数を増やすことなく、補助光用ＬＥＤ素子６００を正確な位置に確実に保持固定することができるとともに、組立作業の容易化を図ることができる。
【００３１】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００３２】
５００  レンズ鏡筒
６００  補助光用ＬＥＤ素子
６０１  フレキシブル基板
６０２  レンズ部
７００  保持部
７０１，７０２  保持腕部
７０３  弾性腕
７０４，７０５  突出部
７０９  収納溝部
７１０  溝部
７１１，７１２  挟持部
【図１】
2015034873.tif 000003
【図２】
2015034873.tif 000004
【図３】
2015034873.tif 000005
【図４】
2015034873.tif 000006
【図５】
2015034873.tif 000007
【図６】
2015034873.tif 000008
【図７】
2015034873.tif 000009
【図８】
2015034873.tif 000010
【図９】
2015034873.tif 000011
【図１０】
2015034873.tif 000012
【図１１】
2015034873.tif 000013
【図１２】
2015034873.tif 000014
【図１３】
2015034873.tif 000015